(57)【要約】【課題】移動端末の状況が予め決められた条件を満たした場合に、移動端末の状況を他の端末に通知する移動端末監視システムを提供する。【解決手段】交換機１２１は、基地局を介して移動端末１００に応答を要求するページング信号を送信する。交換機１２１は、移動端末１００からページング信号に対する応答の信号を所定の回数連続して受信しなかった場合に、移動端末１００が所在不明であることを通信端末１１０に通知する。また、交換機１２１は、所定の基地局以外の基地局から移動端末１００と通信が可能になったことを示す通信可能情報を受信した場合に、移動端末１００が所定の範囲外に移動したことを通信端末１１０に通知する。【選択図】図１
2007235732.tif 000002
【特許請求の範囲】
【請求項１】
移動端末と無線で通信を行う基地局を介して移動端末を監視する移動端末監視システムにおいて、
前記基地局を介して前記移動端末に応答を要求する応答要求信号を送信し、前記移動端末から前記基地局を介して応答要求信号に対する応答信号を受信し、通信端末に前記移動端末の状況を示す情報を送信する所定の条件を満たしているか否かを判断する所在確認手段と、
前記所在確認手段が前記所定の条件を満たしていると判断した場合に、前記通信端末に前記移動端末の状況を示す情報を送信する通知手段と、
前記所定の条件を記憶する記憶手段とを備え、
前記基地局は、
前記所在確認手段が送信した応答要求信号を前記移動端末に送信し、前記移動端末が送信した応答信号を前記所在確認手段に送信する信号中継手段を含む
ことを特徴とする移動端末監視システム。
【請求項２】
移動端末と無線で通信を行う基地局と、前記基地局と通信を行う交換機とを備えた移動端末監視システムにおいて、
前記基地局は、
前記移動端末と通信が可能になった場合に、前記移動端末と通信が可能になったことを示す通信可能情報を前記交換機に送信する通信可能情報送信手段を含み、
前記交換機は、
前記基地局から通信可能情報を受信し、受信した通信可能情報にもとづいて、通信端末に前記移動端末の状況を示す情報を送信する所定の条件を満たしているか否かを判断するエリア判定手段と、
前記エリア判定手段が、前記所定の条件を満たしていると判断した場合に、前記通信端末に前記移動端末の状況を示す情報を送信する通知手段と、
前記所定の条件を記憶する記憶手段とを含む
ことを特徴とする移動端末監視システム。
【請求項３】
記憶手段は、通知手段が通信端末に移動端末の状況を示す情報を送信する所定の条件が、エリア判定手段が受信した通信可能情報を送信した基地局が、所定の基地局以外の基地局である場合であることを記憶する
請求項２記載の移動端末監視システム。
【請求項４】
交換機は、基地局を介して移動端末に応答を要求する応答要求信号を送信し、前記移動端末から、前記基地局を介して応答要求信号に対する応答信号を受信し、通信端末に前記移動端末の状況を示す情報を送信する所定の条件を満たしているか否かを判断する所在確認手段を含み、
前記基地局は、前記交換機が送信した応答要求信号を前記移動端末に送信し、前記移動端末が送信した応答信号を前記交換機に送信する信号中継手段を含み、
通知手段は、前記所在確認手段が前記所定の条件を満たしていると判断した場合に、前記通信端末に前記移動端末の状況を示す情報を送信する
請求項２または請求項３記載の移動端末監視システム。
【請求項５】
記憶手段は、通知手段が通信端末に移動端末の状況を示す情報を送信する所定の条件が、所在確認手段が送信した応答要求信号に対する応答信号を所定の回数連続して受信しなかった場合であることを記憶する
請求項１または請求項４記載の移動端末監視システム。
【請求項６】
記憶手段は、通信端末に移動端末の状況を示す情報を送信する所定の条件であって、時刻に応じて異なる条件を記憶する
請求項１から請求項５のうちいずれか１項記載の移動端末監視システム。
【請求項７】
移動端末と無線で通信を行う基地局と通信を行う交換機において、
前記基地局を介して前記移動端末に応答を要求する応答要求信号を送信し、前記移動端末から前記基地局を介して応答要求信号に対する応答信号を受信し、通信端末に前記移動端末の状況を示す情報を送信する所定の条件を満たしているか否かを判断する所在確認手段と、
前記所在確認手段が前記所定の条件を満たしていると判断した場合に、前記通信端末に前記移動端末の状況を示す情報を送信する通知手段と、
前記所定の条件を記憶する記憶手段とを含む
ことを特徴とする交換機。
【請求項８】
移動端末と無線で通信を行う基地局と通信を行う交換機において、
前記基地局が前記移動端末と通信が可能になった場合に、前記基地局から前記移動端末と通信が可能になったことを示す通信可能情報を受信し、受信した通信可能情報にもとづいて、通信端末に前記移動端末の状況を示す情報を送信する所定の条件を満たすか否かを判断するエリア判定手段と、
前記エリア判定手段が、前記所定の条件を満たしていると判断した場合に、前記通信端末に前記移動端末の状況を示す情報を送信する通知手段と、
前記所定の条件を記憶する記憶手段とを含む
ことを特徴とする交換機。
【発明の詳細な説明】
【技術分野】
【０００１】
本発明は、無線で通信を行う移動端末を監視する移動端末監視システムおよび交換機に関する。
【背景技術】
【０００２】
幼児や児童が予期しない場所に移動したり、移動させられたりしたことを検知するために、特許文献１に、移動端末が所定の範囲外に移動した場合に、移動端末が所定の範囲外に移動したことを他の端末に通知するシステムが記載されている。
【０００３】
特許文献２には、移動端末が所定の範囲内に移動した場合に、移動端末が所定の範囲内に移動したこと等を他の端末に通知する方法が記載されている。
【０００４】
【特許文献１】特開２００３−７８５９０号公報  （段落００３７〜０１１８、図１）
【特許文献２】特開２００３−１４３６３４号公報  （段落００１９〜００３０、図１）
【発明の開示】
【発明が解決しようとする課題】
【０００５】
特許文献１に記載されたシステムでは、幼児や児童等の移動端末のユーザが、移動端末を所持していることが前提になっている。
【０００６】
しかし、移動端末のユーザが何らかの事件に巻き込まれた場合に、そのユーザとともに移動端末が移動しない場合も考えられる。従って、特許文献１に記載されたシステムのように、他の端末に通知するか否かを移動端末の移動のみに応じて決定しても、移動端末のユーザを十分に保護することはできない。
【０００７】
そこで、本発明は、移動端末の状況が予め決められた条件を満たした場合に、移動端末の状況を他の端末に通知する移動端末監視システムおよび交換機を提供することを目的とする。
【課題を解決するための手段】
【０００８】
本発明による移動端末監視システムは、移動端末と無線で通信を行う基地局を介して移動端末を監視する移動端末監視システムであって、基地局を介して移動端末に応答を要求する応答要求信号を送信し、移動端末から基地局を介して応答要求信号に対する応答信号を受信し、通信端末に移動端末の状況を示す情報を送信する所定の条件を満たしているか否かを判断する所在確認手段と、所在確認手段が所定の条件を満たしていると判断した場合に、通信端末に移動端末の状況を示す情報を送信する通知手段と、所定の条件を記憶する記憶手段とを備え、基地局は、所在確認手段が送信した応答要求信号を移動端末に送信し、移動端末が送信した応答信号を所在確認手段に送信する信号中継手段を含むことを特徴とする。
【０００９】
本発明による移動端末監視システムは、移動端末と無線で通信を行う基地局と、基地局と通信を行う交換機とを備えた移動端末監視システムであって、基地局は、移動端末と通信が可能になった場合に、移動端末と通信が可能になったことを示す通信可能情報を交換機に送信する通信可能情報送信手段を含み、交換機は、基地局から通信可能情報を受信し、受信した通信可能情報にもとづいて、通信端末に移動端末の状況を示す情報を送信する所定の条件を満たしているか否かを判断するエリア判定手段と、エリア判定手段が、所定の条件を満たしていると判断した場合に、通信端末に移動端末の状況を示す情報を送信する通知手段と、所定の条件を記憶する記憶手段とを含むことを特徴とする。
【００１０】
記憶手段は、通知手段が通信端末に移動端末の状況を示す情報を送信する所定の条件が、エリア判定手段が受信した通信可能情報を送信した基地局が、所定の基地局以外の基地局である場合であることを記憶してもよい。
【００１１】
交換機は、基地局を介して移動端末に応答を要求する応答要求信号を送信し、移動端末から、基地局を介して応答要求信号に対する応答信号を受信し、通信端末に移動端末の状況を示す情報を送信する所定の条件を満たしているか否かを判断する所在確認手段を含み、基地局は、交換機が送信した応答要求信号を移動端末に送信し、移動端末が送信した応答信号を交換機に送信する信号中継手段を含み、通知手段は、所在確認手段が所定の条件を満たしていると判断した場合に、通信端末に移動端末の状況を示す情報を送信してもよい。
【００１２】
記憶手段は、通知手段が通信端末に移動端末の状況を示す情報を送信する所定の条件が、所在確認手段が送信した応答要求信号に対する応答信号を所定の回数連続して受信しなかった場合であることを記憶してもよい。
【００１３】
記憶手段は、通信端末に移動端末の状況を示す情報を送信する所定の条件であって、時刻に応じて異なる条件を記憶してもよい。
【００１４】
本発明による交換機は、移動端末と無線で通信を行う基地局と通信を行う交換機であって、基地局を介して移動端末に応答を要求する応答要求信号を送信し、移動端末から基地局を介して応答要求信号に対する応答信号を受信し、通信端末に移動端末の状況を示す情報を送信する所定の条件を満たしているか否かを判断する所在確認手段と、所在確認手段が所定の条件を満たしていると判断した場合に、通信端末に移動端末の状況を示す情報を送信する通知手段と、所定の条件を記憶する記憶手段とを含むことを特徴とする。
【００１５】
本発明による交換機は、移動端末と無線で通信を行う基地局と通信を行う交換機であって、基地局が移動端末と通信が可能になった場合に、基地局から移動端末と通信が可能になったことを示す通信可能情報を受信し、受信した通信可能情報にもとづいて、通信端末に移動端末の状況を示す情報を送信する所定の条件を満たすか否かを判断するエリア判定手段と、エリア判定手段が、所定の条件を満たしていると判断した場合に、通信端末に移動端末の状況を示す情報を送信する通知手段と、所定の条件を記憶する記憶手段とを含むことを特徴とする。
【発明の効果】
【００１６】
本発明によれば、移動端末の状況が所定の条件を満たした場合に、移動端末の状況を通信端末に通知することができる。
【００１７】
通知手段が通信端末に移動端末の状況を示す情報を送信する所定の条件を、エリア判定手段が受信した通信可能情報を送信した基地局が所定の基地局以外の基地局であることのように構成した場合には、移動端末が、所定の範囲外に移動した場合に、移動端末の状況を通信端末に通知することができる。
【００１８】
通知手段が通信端末に移動端末の状況を示す情報を送信する所定の条件を、所在確認手段が送信した応答要求信号に対する応答信号を所定の回数連続して受信しなかったことのように構成した場合には、移動端末が破壊されたり、電池が外されたりした場合に、移動端末の状況を通信端末に通知することができる。
【００１９】
記憶手段が、通信端末に移動端末の状況を示す情報を送信する所定の条件であって、時刻に応じて異なる条件を記憶するように構成されている場合には、時刻に応じた移動端末のユーザの行動範囲等にもとづいて、通信端末に移動端末の状況を示す情報を送信する所定の条件を設定することができる。
【発明を実施するための最良の形態】
【００２０】
本発明の実施の形態について、図面を参照して説明する。図１は、本発明による移動端末監視システムの実施の形態を示す説明図である。
【００２１】
図１に示す移動端末監視システムは、移動端末１００および通信端末１１０と無線で情報を送受信する基地局１２２、１２３、１２４、１２５と、各基地局と情報を送受信する交換機１２１とを含む。
【００２２】
各基地局は、例えば、携帯電話通信網や、ＰＨＳ（Ｐｅｒｓｏｎａｌ  Ｈａｎｄｙ  ｐｈｏｎｅ  Ｓｙｓｔｅｍ）通信網の基地局である。各基地局は、移動端末１００と通信が可能になった場合に、移動端末１００と通信が可能になったことを示す通信可能情報（例えば、移動端末１００がセルに在圏していることを示すセル情報）を交換機１２１に送信する手段（通信可能情報送信手段）と、交換機１２１が送信した信号を移動端末１００に送信し、移動端末１００が送信した信号を交換機１２１に送信する手段（信号中継手段）を有する。
【００２３】
交換機１２１は、例えば、携帯電話通信網や、ＰＨＳ通信網の交換機である。移動端末１００および通信端末１１０は、例えば、携帯電話機や、ＰＨＳ端末である。なお、移動端末１００は、各基地局を介して交換機１２１から応答を要求する信号を受信した場合に、応答する信号を各基地局を介して交換機１２１に送信する手段を有する。
【００２４】
図２は、交換機１２１の一構成例を示すブロック図である。図２に示す交換機１２１は、情報を記憶する情報管理部（記憶手段）１３１、各基地局を介して移動端末１００と信号を送受信する所在確認部（所在確認手段）１４１、各基地局から情報を受信するエリア判定部（エリア判定手段）１５１、および移動端末１００の状況を通信端末１１０に通知する通知部（通知手段）１６１を含む。
【００２５】
情報管理部１３１は、監視する対象の移動端末１００を示す情報と、移動端末１００の状況を確認するタイミングを示す情報と、移動端末１００の状況の通知先になる通信端末１１０を示す情報と、移動端末１００の状況を通信端末１１０に通知する条件を示す情報とを記憶する。
【００２６】
なお、情報管理部１３１は、通信端末１１０のユーザの要求に応じて、監視する対象の移動端末１００を示す情報と、移動端末１００の状況を確認するタイミングを示す情報と、移動端末１００の状況の通知先になる通信端末１１０を示す情報と、移動端末１００の状況を通信端末１１０に通知する条件を示す情報とを記憶（登録）する。
【００２７】
例えば、移動端末監視システムの運営会社等が、情報管理部１３１に情報を登録するためのホームページを開設し、そのホームページに通信端末１１０のユーザが入力した情報を情報管理部１３１に記憶させる。また、例えば、移動端末監視システムの運営会社等が、情報管理部１３１に情報を登録するための受付窓口を開設し、その受付窓口に通信端末１１０のユーザが電話等で通知した情報を、人手で情報管理部１３１に記憶させる。
【００２８】
監視する対象の移動端末１００を示す情報とは、例えば、移動端末１００の電話番号や、端末ＩＤである。移動端末１００の状況の通知先になる通信端末１１０を示す情報とは、例えば、通信端末１１０の電話番号や、端末ＩＤである。
【００２９】
移動端末１００の状況を通信端末１１０に通知する条件とは、例えば、移動端末１００が所定の活動可能範囲外に移動したことや、所在確認部１４１が、移動端末１００の状況を確認するタイミング（例えば、５分間隔）で送信したページング信号（呼び出し信号、応答要求信号）に対して、所定の回数（例えば、２回）連続して応答の信号を受信しなかったことである。
【００３０】
移動端末１００が所定の活動可能範囲外に移動した場合について説明する。所定の活動範囲とは、ユーザが予め登録要求した範囲であって、移動端末１００が通信可能なセルに相当する。具体的には、例えば、移動端末１００が、基地局１２２または１２３と通信を行うことができる範囲をいう。従って、移動端末１００が、基地局１２２または１２３と通信を行うことができる範囲から、基地局１２４と通信を行うことができる範囲に移動した場合、移動端末１００が所定の活動可能範囲外に移動しているので、移動端末１００の状況を通信端末１１０に通知する条件を満たす。
【００３１】
各基地局は、移動端末と通信を行うことが可能になった場合に、移動端末と通信を行うことが可能になったこと示す通信可能情報を交換機１２１に送信する。エリア判定部１５１は、各基地局が送信した通信可能情報を受信する。すなわち、エリア判定部１５１は、移動端末１００が通信を行う基地局が代わった場合に、新たに移動端末１００と通信を行う基地局から、移動端末１００と通信が可能になったことを示す通信可能情報を受信する。
【００３２】
図３は、移動端末１００と通信を行う基地局が代わった場合に、エリア判定部１５１が新たに移動端末１００と通信を行う基地局から移動端末１００と通信が可能になったことを示す通信可能情報を受信する動作を示す説明図である。
【００３３】
図３に示す例では、移動端末１００は、基地局１２２と通信可能な範囲（基地局１２２のセル内）から基地局１２３と通信可能な範囲（基地局１２３のセル内）に移動し、基地局１２３と通信可能な範囲から基地局１２４と通信可能な範囲（基地局１２４のセル内）に移動している。すなわち、移動端末１００は、移動によって、基地局１２２から基地局１２３にハンドオーバし、さらに、基地局１２３から基地局１２４にハンドオーバしている。
【００３４】
エリア判定部１５１は、移動端末１００が、基地局１２２と通信可能な範囲（基地局１２２のセル内）から基地局１２３と通信可能な範囲（基地局１２３のセル内）に移動した場合に、基地局１２３から、移動端末１００と通信が可能になったことを示す通信可能情報を受信する。
【００３５】
エリア判定部１５１は、移動端末１００が、基地局１２３と通信可能な範囲（基地局１２３のセル内）から基地局１２４と通信可能な範囲（基地局１２４のセル内）に移動した場合に、基地局１２４から、移動端末１００と通信が可能になったことを示す通信可能情報を受信する。
【００３６】
エリア判定部１５１は、通信可能情報を受信した場合に、情報管理部１３１が記憶している移動端末１００の状況を通信端末１１０に通知する条件を満たすか否かを判断する。
【００３７】
具体的には、図３に例示したように、移動端末１００の状況を通信端末１１０に通知する条件が、移動端末１００が所定の活動可能範囲外に移動した場合という条件であって、所定の活動可能範囲が、基地局１２２または１２３と通信を行うことができる範囲（つまり、基地局１２２または１２３のセル内）であった場合、エリア判定部１５１は、基地局１２２および１２３以外の基地局から通信可能情報を受信したときに、情報管理部１３１が記憶している移動端末１００の状況を通信端末１１０に通知する条件を満たすと判断する。
【００３８】
従って、図３に示す例では、エリア判定部１５１は、基地局１２２および１２３以外の基地局である基地局１２４から通信可能情報を受信した場合に、移動端末１００の状況を通信端末１１０に通知する条件を満たすと判断する。
【００３９】
そして、エリア判定部１５１は、情報管理部１３１が記憶している移動端末１００の状況を通信端末１１０に通知する条件を満たすと判断した場合に、その旨を通知部１６１に通知する。
【００４０】
通知部１６１は、エリア判定部１５１から、移動端末１００の状況を通信端末１１０に通知する条件を満たしていることが通知された場合に、基地局１２５を介して通信端末１１０に、移動端末１００が所定の範囲外に移動したことを通知する。
【００４１】
また、移動端末１００の状況を通信端末１１０に通知する条件が、所在確認部１４１が、移動端末１００の状況を確認するタイミング（例えば、５分間隔）で送信したページング信号（呼び出し信号）に対して、所定の回数（例えば、２回）連続して応答の信号を受信しなかった場合という条件であった場合に、所在確認部１４１は、情報管理部１３１が記憶している移動端末１００の状況を確認するタイミングを示す情報にもとづいて、各基地局を介して移動端末１００にページング信号を送信する。そして、所在確認部１４１は、そのページング信号に対する応答を、各基地局を介して移動端末１００から受信する。
【００４２】
また、所在確認部１４１は、送信したページング信号に対する応答を、所定の回数連続して受信しなかった場合に、移動端末１００の状況を通信端末１１０に通知する条件を満たし、移動端末１００が所在不明であると判断し、その旨を通知部１６１に通知する。
【００４３】
通知部１６１は、所在確認部１４１から、移動端末１００が所在不明であることが通知された場合に、基地局１２５を介して通信端末１１０に、移動端末１００が所在不明であることを通知する。
【００４４】
図４は、交換機１２１が、通信端末１１０に移動端末１００の状況を通知する場合を示す説明図である。
【００４５】
図４（ａ）に示す例では、移動端末１００の状況を通信端末１１０に通知する条件は、移動端末１００が、基地局１２２または１２３と通信を行うことができる範囲外（つまり、基地局１２２および１２３のセル外）に移動した場合である。
【００４６】
移動端末１００は、図４（ａ）に示すように、基地局１２４と通信することができる範囲（つまり、基地局１２４のセル内）に位置しているため、基地局１２４は、通信可能情報を交換機１２１に送信する。
【００４７】
エリア判定部１５１は、基地局１２２および１２３以外の基地局である基地局１２４から通信可能情報を受信したので、移動端末１００の状況を通信端末１１０に通知する条件を満たすと判断し、その旨を通知部１６１に通知する。
【００４８】
そして、通知部１６１は、基地局１２５を介して通信端末１１０に、移動端末１００が所定の範囲外に移動したことを通知する。
【００４９】
また、図４（ｂ）に示す例では、所在確認部１４１は、移動端末１００の状況を確認するタイミング（図４（ｂ）に示す例では、５分間隔）で送信したページング信号に対して、所定の回数（図４（ｂ）に示す例では、２回）連続して応答の信号を受信しなかった場合に、移動端末１００が所在不明であると判断し、その旨を通知部１６１に通知する。
【００５０】
そして、通知部１６１は、基地局１２５を介して通信端末１１０に、移動端末１００が所在不明であることを通知する。
【００５１】
なお、交換機１２１が、コンピュータに、基地局を介して移動端末１００に応答を要求する応答要求信号を送信し、移動端末１００から基地局を介して応答要求信号に対する応答信号を受信し、通信端末１１０に移動端末１００の状況を示す情報を送信する所定の条件を満たしているか否かを判断する所在確認処理と、所在確認処理でその所定の条件を満たしていると判断した場合に、通信端末１１０に移動端末１００の状況を示す情報を送信する通知処理とを実行させるための移動端末監視プログラムを搭載していてもよい。
【００５２】
また、交換機１２１が、コンピュータに、基地局が移動端末１００と通信が可能になった場合に、基地局から移動端末１００と通信が可能になったことを示す通信可能情報を受信し、受信した通信可能情報にもとづいて、通信端末１１０に移動端末１００の状況を示す情報を送信する所定の条件を満たしているか否かを判断するエリア判定処理と、エリア判定処理でその所定の条件を満たしていると判断した場合に、通信端末１１０に移動端末１００の状況を示す情報を送信する通知処理とを実行させるための移動端末監視プログラムを搭載していてもよい。
【００５３】
そして、所在確認部１４１、エリア判定部１５１、および通知部１６１が、プログラム制御に従って処理を実行するＣＰＵや、そのＣＰＵを備えるコンピュータの通信手段によって実現されてもよい。
【００５４】
次に、本発明の実施の形態の動作について、図面を参照して説明する。図５は、本発明の実施の形態の動作を示す説明図である。
【００５５】
ここでは、通信端末１１０が登録の要求を行う場合を例にする。通信端末１１０のユーザは、例えば、移動端末監視システムの運営会社等を介して、交換機１２１に、監視する対象の移動端末を示す情報、監視する対象の移動端末の状況を確認するタイミングを示す情報、監視する対象の移動端末の状況の通知先になる通信端末を示す情報、および監視する対象の移動端末の状況を通信端末に通知する条件を示す情報の登録を要求する。なお、監視する対象の移動端末の状況を通信端末に通知する条件を示す情報は、監視する対象の移動端末の活動可能範囲を示す情報を含む。
【００５６】
交換機１２１において、基地局１２５を介して通信端末１１０のユーザの要求が受信されると、例えば制御部（図示せず）は、情報管理部１３１に、監視する対象である移動端末１００を示す情報、移動端末１００の状況を確認するタイミングを示す情報、移動端末１００の状況の通知先になる通信端末１１０を示す情報、および移動端末１００の状況を通信端末１１０に通知する条件を示す情報を登録する。
【００５７】
図５に示す例では、監視する対象が移動端末１００であることと、移動端末１００の状況を確認するタイミングが５分間隔であることと、移動端末１００の状況の通知先が通信端末１１０であることと、移動端末１００の状況を通信端末１１０に通知する条件が、基地局１２２または１２３のセル（すなわち、活動可能範囲）外に移動した場合であること、および５分間隔で送信したページング信号に対して、２回連続して応答の信号を受信しなかった場合であることとが、情報管理部１３１に登録（記憶）される。
【００５８】
所在確認部１４１は、情報管理部１３１が記憶している情報にもとづいて、基地局を介して移動端末１００に、ページング信号を５分間隔で送信する。所在確認部１４１は、移動端末１００が送信したページング信号に応答する信号を、基地局を介して受信する。
【００５９】
所在確認部１４１は、ページング信号を送信後、ページング信号に応答する信号を受信しなかった場合に、ページング信号に応答する信号を受信しなかった回数をカウントする。
【００６０】
そして、所在確認部１４１は、ページング信号に応答する信号を２回連続して受信しなかった場合に、移動端末１００の状況を通信端末１１０に通知する条件を満たし、移動端末１００が所在不明であると判断し、その旨を通知部１６１に通知する。
【００６１】
通知部１６１は、所在確認部１４１から、移動端末１００が所在不明であることが通知された場合に、基地局１２５を介して通信端末１１０に、移動端末１００が所在不明であることを通知する。
【００６２】
また、移動端末１００が、基地局１２２と通信を行うことができる範囲（基地局１２２のセル内）から、基地局１２３と通信を行うことができる範囲（基地局１２３のセル内）に移動した場合に、基地局１２３は、通信可能情報を交換機１２１に送信する。
【００６３】
エリア判定部１５１は、基地局１２３が送信した通信可能情報を受信する。エリア判定部１５１は、基地局１２３から通信可能情報を受信したので、移動端末１００の状況を通信端末１１０に通知する条件を満たさないと判断する。
【００６４】
移動端末１００が、基地局１２３と通信を行うことができる範囲（基地局１２３のセル内）から、基地局１２４と通信を行うことができる範囲（基地局１２４のセル内）に移動した場合に、基地局１２４は、通信可能情報を交換機１２１に送信する。
【００６５】
エリア判定部１５１は、基地局１２４が送信した通信可能情報を受信する。エリア判定部１５１は、基地局１２２および１２３以外の基地局から通信可能情報を受信したので、移動端末１００の状況を通信端末１１０に通知する条件を満たすと判断する。
【００６６】
そして、エリア判定部１５１は、通知部１６１に、移動端末１００が所定の範囲外に移動したことを通知する。
【００６７】
通知部１６１は、エリア判定部１５１から、移動端末１００が所定の範囲外に移動したことが通知された場合に、基地局１２５を介して通信端末１１０に、移動端末１００が所定の範囲外に移動したことを通知する。
【００６８】
本実施の形態の移動端末監視システムでは、移動端末１００の電池が外されたり、移動端末１００が破壊等されて故障したりして、交換機１２１がページング信号に対する応答の信号を所定の回数連続して受信しなかった場合に、交換機１２１が、移動端末１００が所在不明であることを通信端末１１０に通知することができる。そのため、移動端末１００のユーザが巻き込まれた事件等の発生を、通信端末１１０のユーザに直ちに通知することができる。
【００６９】
また、本実施の形態の移動端末監視システムでは、移動端末１００が所定の範囲外に移動した場合に、交換機１２１は、移動端末１００が所定の範囲外に移動したことを通信端末１１０に通知する。そのため、移動端末１００のユーザが巻き込まれた誘拐事件等や、迷子の発生を、通信端末１１０のユーザに直ちに通知することができる。
【００７０】
なお、交換機１２１の情報管理部１３１は、通信端末１１０のユーザの要求に応じて、移動端末１００の状況を通信端末１１０に通知する条件を、時刻に応じて変化させてもよい。
【００７１】
具体的には、例えば、移動端末１００の状況を通信端末１１０に通知する条件のうち、所定の活動可能範囲を、午前８時から午後３時までを基地局１２２のセルとし、午後３時から午前８時までを基地局１２３のセルとする。
【００７２】
移動端末１００の状況を通信端末１１０に通知する条件のうち、所定の活動可能範囲を時刻に応じて変化させれば、移動端末１００が時刻に応じた所定の活動範囲外に移動した場合に、移動端末１００の状況を通信端末１１０に通知することができる。
【００７３】
また、例えば、移動端末１００の状況を通信端末１１０に通知する条件を、午前８時から午後３時までは、ページング信号に対する応答の信号を５回連続して受信しなかった場合とし、午後３時から午前８時までは、ページング信号に対する応答の信号を受信しなかった場合とする。
【００７４】
さらに、例えば、移動端末１００の状況を通信端末１１０に通知する条件のうち、移動端末１００の状況を確認するタイミング（すなわち、交換機１２１がページング信号を送信する間隔。）を、午前８時から午後３時までは５分間隔にし、午後３時から午前８時までは３分間隔にする。
【００７５】
ページング信号を用いた移動端末１００の状況の確認を、時刻に応じて変化させるように構成した場合には、例えば、事件に巻き込まれにくい昼間は、ページング信号の送信間隔を長くして移動端末１００の電力消費量を少なくすることができる。また、事件に巻き込まれやすい夜間は、ページング信号の送信間隔を短くして、早く通信端末１１０に移動端末１００の状況を通知できるようにしたり、ページング信号に対する応答がなかった場合には直ちに通信端末１１０に移動端末１００の状況を通知したりすることができる。
【００７６】
つまり、移動端末１００の状況を通信端末１１０に通知する条件を、時刻に応じて変化させるように構成した場合には、時刻に応じた移動端末１００のユーザの行動範囲の変化や、時刻に応じた事件の発生頻度の変化にもとづいて、移動端末１００の状況を通信端末１１０に通知する条件を設定することができる。
【００７７】
なお、本実施の形態では、通信端末１１０が携帯電話機等であることを想定して説明したが、通信端末１１０が、インターネットに接続されたコンピュータや、公衆電話回線に接続された電話機であってもよい。
【００７８】
そして、交換機１２１の通信部１６１が、インターネットや公衆電話回線を介して通信端末１１０に移動端末１００の状況を通知してもよい。
【００７９】
通信端末１１０が、インターネットに接続されたコンピュータや、公衆電話回線に接続された電話機であって、交換機１２１の通信部１６１が、インターネットや公衆電話回線を介して通信端末１１０に移動端末１００の状況を通知するように構成されている場合に、通信端末１１０のユーザに応じた通信手段で、通信端末１１０に移動端末１００の状況を通知することができる。
【００８０】
また、本実施の形態では、移動端末１００が携帯電話機等であることを想定して説明したが、移動端末１００は、交換機１２１が送信したページング信号を基地局を介して受信する機能と、受信したページング機能に応答する信号を基地局を介して交換機１２１に送信する機能とを有していればよく、通話機能等を有していなくてもよい。
【００８１】
移動端末１００が、通話機能等を有さないように構成された場合には、移動端末１００を小型化したり、低価格化したりすることができる。
【産業上の利用可能性】
【００８２】
本発明は、移動体無線通信網を利用した移動端末の監視システムに適用することができる。
【図面の簡単な説明】
【００８３】
【図１】本発明による移動端末監視システムの実施の形態を示す説明図である。
【図２】交換機の一構成例を示すブロック図である。
【図３】移動端末と通信を行う基地局が代わった場合に、エリア判定部が通信可能情報を受信する動作を示す説明図である。
【図４】交換機が、通信端末に移動端末の状況を通知する場合を示す説明図である。
【図５】本発明の実施の形態の動作を示す説明図である。
【符号の説明】
【００８４】
１００  移動端末
１１０  通信端末
１２１  交換機
１２２、１２３、１２４、１２５  通信端末
１３１  情報管理部
１４１  所在確認部
１５１  エリア判定部
１６１  通知部
【図１】
2007235732.tif 000003
【図２】
2007235732.tif 000004
【図３】
2007235732.tif 000005
【図４】
2007235732.tif 000006
【図５】
2007235732.tif 000007